(57)【要約】【課題】形状の大型化を抑制するとともに、基台に安定して取付けることができる携帯通信装置を提供する。【解決手段】携帯電話機本体１０１の第２筐体３に形成される本体ねじ部９に、取付具１０２を螺着する。さらに、この取付具１０２に、所定位置に設置される基台、たとえば三脚のねじ部材を螺着することによって、三脚に携帯電話機本体１０１を連結する。したがって、取付具１０２における三脚が螺着される部分の外径を、三脚のねじ部材が螺着可能な外径になるように形成しておくだけで、取付具１０２を介して、容易に三脚に携帯電話機本体１０１を着脱可能に連結させることができる。また、取付具１０２を介して、三脚に携帯電話機本体１０１を着脱可能に連結させることによって、携帯電話機本体１０１の形状の大型化を抑制することができる。【選択図】      図１
2005003880.tif 000002
【特許請求の範囲】
【請求項１】
撮像機能および通信機能を備える携帯通信装置本体に、外部に臨んで露出するねじ部を有する取付具が設けられ、
この取付具のねじ部に所定のねじ部材を螺着することによって、所定位置に設置される基台に前記携帯通信装置本体が着脱可能に連結されることを特徴とする携帯通信装置。
【請求項２】
前記携帯通信装置本体の予め定める複数の表面部に溝部が形成され、
外部に臨んで突出し、ねじ部を有する突出部および突出部とは逆方向に突出する嵌合部を有し、この嵌合部が前記溝部に嵌合することによって、携帯通信装置本体に連結される取付補助具を含み、
この取付補助具の突出部のねじ部に所定のねじ部材を螺着することによって、所定位置に設置される基台に前記携帯通信装置本体が着脱可能に連結されることを特徴とする請求項１記載の携帯通信装置。
【請求項３】
前記取付補助具は、少なくとも２つ以上の突出部を含むことを特徴とする請求項２記載の携帯通信装置。
【請求項４】
前記溝部は、前記携帯通信装置本体の予め定める表面部に、少なくとも２つ以上形成されることを特徴とする請求項２記載の携帯通信装置。
【請求項５】
前記溝部は、前記携帯通信装置本体の予め定める表面部の略中央部から一端部に延びて形成されることを特徴とする請求項２記載の携帯通信装置。
【請求項６】
前記取付具および取付補助具は、樹脂によって成型されることを特徴とする請求項１または２記載の携帯通信装置。
【請求項７】
前記取付具および取付補助具は、金属によって鍛造されることを特徴とする請求項１または２記載の携帯通信装置。
【発明の詳細な説明】
【０００１】
【発明の属する技術分野】
本発明は、いわゆるカメラ付携帯電話機のように、入射した光を電気信号に変換して画像を撮像する撮像手段を備え、三脚などに取付けて好適に用いることができる携帯通信装置に関する。
【０００２】
【従来の技術】
近年、撮像レンズおよび入力光を電気信号に変換する撮像素子を備えるカメラが搭載されたいわゆるカメラ付携帯電話機が普及している。最近のカメラ付携帯電話機は、記憶容量、画像の表示サイズ、カメラの解像度および処理能力などが一段と向上されているため、カメラ付携帯電話機に搭載されたカメラを用いて、容易に画像を撮影することができるようになってきている。
【０００３】
カメラ付携帯電話機（以下、単に「携帯電話機」と表記する場合がある）に搭載のカメラを用いて自分自身を被写体として撮影する場合には、たとえばユーザ自身が携帯電話機を持ち、カメラを自分自身に向けて撮影する。また、カメラと被写体との間隔を比較的大きくあけて撮影する場合には、携帯電話機を適当に離れた場所に置いて撮影するか、または他人に撮影してもらうことになる。しかし、ユーザの周辺に人がいない、かつ携帯電話機を置くための適当に離れた場所が見つからない場合には、ユーザが所望する背景で撮影することが困難になる。
【０００４】
前述のような場合に、撮影機能のみを有するカメラで撮影するときには三脚が用いられており、前記カメラを三脚に取付けて撮影する。従来から、前記カメラを三脚に取付けるための技術の開発が進められており、種々提案されている。
【０００５】
第１の従来技術のカメラは、カメラ本体部と、カメラ本体部に対してスライド可能に外嵌された有底筒状のスライドカバーとを有する。スライドカバーは、その内面をカメラ本体部に隣接させる非撮影位置と、前記内面の少なくとも一部とカメラ本体部との間に所定のスペースを生じさせる撮影位置との間でスライドする。スライドカバーの底壁内面には、底壁外面に開口するとともに三脚の雄ねじ部に係合する雌ねじ部を有する三脚取付け部が固定されている。この三脚取付け部は、スライドカバーが非撮影位置にあるときは、カメラ本体底部に設けた収納室に収納され、スライドカバーが撮影位置に移動するときに、これと連動して前記所定のスペース内に移動する（たとえば、特許文献１参照）。
【０００６】
第２の従来技術の三脚取付用アダプタは、横位置撮影時に三脚に支持される横位置用支持腕と、横位置用支持腕と略直交して延設され、縦位置撮影時に三脚に支持される縦位置用支持腕とを有する。カメラボディに、三脚取付用ねじ孔を有する壁面以外の壁面に被指示部を設け、縦位置用支持腕に、この被指示部に係合してカメラボディを支持するカメラボディ支持部を設けている。これによって、横位置用支持腕に加えて縦位置用支持腕側においてもカメラを支持する構成になっている（たとえば、特許文献２参照）。
【０００７】
第３の従来技術のカメラ取付け用アダプタは、固定用水平基盤の基端に、カメラ移動用アームが起伏自在に立設される。支持用板部の先端縁にカメラ取付用台板部を直角に形成して成るカメラ取付用台枠を、カメラ移動用アームの先端寄りに、１８０度回転移動できるように枢着する。これによって、レンズの光軸線を中心としてカメラを９０度回転することができ、カメラを三脚に対して縦長方向および横長方向のいずれの方向にも自由に変更できる構成になっている（たとえば、特許文献３参照）。
【０００８】
【特許文献１】
特開２０００−２９２６号公報
【特許文献２】
特開２０００−３４７２８１号公報
【特許文献３】
特開２００２−３０３９２８号公報
【０００９】
【発明が解決しようとする課題】
前述の第２および第３の従来技術におけるアダプタは、いずれも構造が複雑でかつ比較的大きく、常時、鞄やポケットなどに入れて持運ぶことは困難である。また、カメラ本体にもアダプタに応じた比較的大きな取付部を設ける必要がある。したがって、前記従来技術のアダプタを携帯電話機などに適用した場合には、携帯電話機に、前記アダプタの大きさに応じた比較的大きな取付け部を設けなければならず、携帯電話機が大きくなってしまい、ユーザにとって使い勝手が悪くなるという問題がある。
【００１０】
本発明の目的は、形状の大型化を抑制するとともに、基台に安定して取付けることができる携帯通信装置を提供することである。
【００１１】
【課題を解決するための手段】
本発明は、撮像機能および通信機能を備える携帯通信装置本体に、外部に臨んで露出するねじ部を有する取付具が設けられ、
この取付具のねじ部に所定のねじ部材を螺着することによって、所定位置に設置される基台に前記携帯通信装置本体が着脱可能に連結されることを特徴とする携帯通信装置である。
【００１２】
本発明に従えば、撮像機能および通信機能を備える携帯通信装置本体に、外部に臨んで露出するねじ部を有する取付具を設ける。この取付具のねじ部に所定のねじ部材を螺着することによって、所定位置に設置される基台、たとえば三脚などに携帯通信装置本体が着脱可能に連結される。
【００１３】
前述のように、取付具のねじ部に所定のねじ部材を螺着することによって、所定位置に設置される基台、たとえば三脚に携帯通信装置本体を連結する。したがって、取付具のねじ部の外径を、前記所定のねじ部材が螺着可能な外径になるように形成しておくだけで、取付具を介して、容易に三脚に携帯通信装置本体を着脱可能に連結させることができる。
【００１４】
また、取付具を介して、基台である三脚に携帯通信装置本体を連結させることによって、携帯通信装置本体の取付具と連結する部分、たとえばねじ部などの外径は、前記所定のねじ部材が取付具に螺着可能な外径よりも比較的小さくすることができる。これによって、携帯通信装置本体の形状の大型化を抑制することができる。
【００１５】
また本発明は、前記携帯通信装置本体の予め定める複数の表面部に溝部が形成され、
外部に臨んで突出し、ねじ部を有する突出部および突出部とは逆方向に突出する嵌合部を有し、この嵌合部が前記溝部に嵌合することによって、携帯通信装置本体に連結される取付補助具を含み、
この取付補助具の突出部のねじ部に所定のねじ部材を螺着することによって、所定位置に設置される基台に前記携帯通信装置本体が着脱可能に連結されることを特徴とする。
【００１６】
本発明に従えば、携帯通信装置本体の予め定める複数の表面部、たとえばキー操作部が配置される表面部の携帯通信装置本体の幅方向両端に連なる側面部に溝部をそれぞれ形成し、この溝部に、外部に臨んで突出し、ねじ部を有する突出部および突出部とは逆方向に突出する嵌合部を有する取付補助具を嵌合することによって、携帯通信装置本体に取付補助具を連結する。この取付補助具の突出部のねじ部に所定のねじ部材を螺着することによって、所定位置に設置される基台、たとえば三脚に携帯通信装置本体が着脱可能に連結される。
【００１７】
前述のように、携帯通信装置本体の予め定める複数の表面部にそれぞれ形成した溝部に、取付補助具の嵌合部を嵌合することによって、取付補助具を携帯通信装置本体に連結する。この取付補助具の突出部のねじ部に、所定のねじ部材を螺着することによって、所定位置に設置される基台である三脚に携帯通信装置本体を連結することができる。したがって、三脚に携帯通信装置本体を連結させるために、携帯通信装置本体にねじ部などを形成する必要がないので、携帯通信装置本体内部の構成部品の配置変更などの影響を受けなくて済む。また、溝部を、たとえばキー操作部が配置される表面部の携帯通信装置本体の幅方向両端に連なる側面部に設けた場合、目立たないようにして美観を向上することができる。
【００１８】
また本発明は、前記取付補助具は、少なくとも２つ以上の突出部を含むことを特徴とする。
【００１９】
本発明に従えば、取付補助具は、ねじ部を有する突出部を少なくとも２つ以上含んでいる。したがって、突出部のねじ部に所定のねじ部材を螺着して、所定位置に設置される基台、たとえば三脚に折り畳み型携帯電話機などの携帯通信装置本体を開いた状態および折り畳んだ状態で連結するときに、前記携帯通信装置本体の連結状態に応じて、２つ以上の突出部のねじ部の中から、基台である三脚に携帯通信装置本体を安定して連結することができる最適な位置のねじ部を選択することができる。これによって、選択したねじ部に所定のねじ部材を螺着することによって、前記状態の携帯通信装置本体を三脚に安定して連結することができる。
【００２０】
また本発明は、前記溝部は、前記携帯通信装置本体の予め定める表面部に、少なくとも２つ以上形成されることを特徴とする。
【００２１】
本発明に従えば、携帯通信装置本体の予め定める表面部、たとえばキー操作部が配置される表面部の携帯通信装置本体の幅方向両端に連なる側面部に、少なくとも２つ以上の溝部が形成される。したがって、溝部に取付補助具の嵌合部を嵌合して、携帯通信装置本体に取付補助具を設けるときに、２つ以上の溝部の中から、携帯通信装置本体に取付補助具を安定して設けることができる最適な位置の溝部を選択することができる。これによって、選択した溝部に取付補助具の嵌合部を嵌合することによって、携帯通信装置本体に安定して取付補助具を設けることができる。
【００２２】
また本発明は、前記溝部は、前記携帯通信装置本体の予め定める表面部の略中央部から一端部に延びて形成されることを特徴とする。
【００２３】
本発明に従えば、溝部は、携帯通信装置本体の予め定める表面部、たとえばキー操作部が配置される表面部の携帯通信装置本体の幅方向両端に連なる側面部における略中央部から一端部に延びて形成される。取付補助具の嵌合部を、携帯通信装置本体の予め定める表面部に形成される溝部の一端部から嵌入することによって、取付補助具を携帯通信装置本体に嵌着することができる。
【００２４】
前述のように、取付補助具の嵌合部を溝部に嵌入するだけで、取付補助具を携帯通信装置本体に嵌着することができるので、前記表面部に形成された溝部よりも長さ寸法が小さい溝部に取付補助具の嵌合部を嵌合する場合に比べて、携帯通信装置本体への取付補助具の取付操作がさらに容易になり、利便性が向上する。
【００２５】
また、取付補助具の嵌合部を溝部に嵌入するだけで、容易に取付補助具を携帯通信装置本体に嵌着することができるので、取付補助具を携帯通信装置本体に嵌着するときに、誤って携帯通信装置本体に傷をつけてしまうことを抑制することができる。
【００２６】
また、取付補助具の嵌合部を溝部に嵌入するだけで、容易に取付補助具を携帯通信装置本体に嵌着することができるので、取付補助具の突出部のねじ部に所定のねじ部材、たとえば所定位置に設置される基台である三脚のねじ部材を螺着して、三脚にたとえば折り畳み型携帯電話機などの携帯通信装置本体を開いた状態および折り畳んだ状態で連結するときに、前記携帯通信装置本体の連結状態に応じて、携帯通信装置本体を安定して三脚に連結することができる最適な位置になるように、容易に取付補助具の位置を調節することができる。
【００２７】
また本発明は、前記取付具および取付補助具は、樹脂によって成型されることを特徴とする。
【００２８】
本発明に従えば、取付具および取付補助具は、樹脂によって成型される。樹脂によって成型される取付具および取付補助具は、比較的軽量であるため、携帯通信装置のユーザは、取付具および取付補助具を鞄およびポケットなどに入れて容易に持運ぶことができ、利便性が向上する。また、取付具および取付補助具を樹脂で成型することによって、コストを低減することができる。
【００２９】
また本発明は、前記取付具および取付補助具は、金属によって鍛造されることを特徴とする。
【００３０】
本発明に従えば、取付具および取付補助具は、金属によって鍛造される。金属によって鍛造される取付具および取付補助具を携帯通信装置本体に設けることによって、取付具および取付補助具に基台である三脚を取付けたときに、三脚に対する携帯通信装置本体の取付け強度を向上することができる。したがって、取付具および取付補助具を介して三脚に取付けられる携帯通信装置本体が撓むことを防止することができる。
【００３１】
【発明の実施の形態】
図１は、本発明の実施の一形態である携帯電話機１００の外観を示す斜視図である。図２は、携帯電話機本体１０１を開いた状態で、内側（正面側）の外観を示す斜視図である。図３は、携帯電話機本体１０１を開いた状態で、外側（背面側）の外観を示す斜視図である。
【００３２】
携帯電話機１００は、携帯電話機本体１０１および取付具１０２を含んで構成される。携帯電話機本体１０１は、通信機能を有し、無線電波を介して基地局と無線通信を行い、音データだけでなく、文字データおよび画像データなどを送受信する。携帯電話機本体１０１は、アンテナ１、第１筐体２、第２筐体３、ヒンジ部４、第１表示部５、第２表示部６、撮像部７、キー操作部８、本体ねじ部９および電池蓋部１０を含んで構成される。
【００３３】
携帯電話機本体１０１は、図１〜図３に示すように、大略的に扁平かつ直方体状の第１筐体２および第２筐体３が長手方向一側部でヒンジ部４を介して角変位可能に連結されて構成される。すなわち、携帯電話機本体１０１は、第１筐体２と第２筐体３とをヒンジ部４の角変位軸線Ｌ１（図２参照）まわりに角変位させることによって開閉可能に構成される折り畳み型携帯電話機である。なお、携帯電話機本体１０１の２つの筐体の成す最大の角度は、第１および第２筐体２，３の形状ならびにヒンジ部４の種類などで決まり、本実施形態では約１８０度になるように構成されている。
【００３４】
アンテナ１は、基地局と無線電波の送受信を行う。アンテナ１は、２つの筐体を折り畳んだときの外側に位置するように、第１筐体２の幅方向一端部に配置される。第１および第２表示部５，６は、たとえば液晶ディスプレイおよびエレクトロルミネッセンスディスプレイなどによって実現され、文字ならびに静止画像および動画像などの画像を表示する。第１表示部５は、２つの筐体を折り畳んだときの内側に位置するように、第１筐体２に配置される。第２表示部６は、２つの筐体を折り畳んだときの外側に位置するように、第１筐体２に配置される。
【００３５】
撮像部７は、撮像レンズおよび電荷結合素子（Ｃｈａｒｇｅ  Ｃｏｕｐｌｅｄ  Ｄｅｖｉｃｅ；略称：ＣＣＤ）などの撮像素子を備え、画像を撮像する機能を有する。撮像部７は、２つの筐体を折り畳んだときの外側に位置するように、第１筐体２の長手方向一端部かつ幅方向他端部に配置される。
【００３６】
キー操作部８は、ダイヤル発信、電子メールの送受信およびインターネット接続などを行うためのキー、撮像部７によって撮像された画像をメモリなどに記憶する指示を行うシャッタキーおよび撮像部７で画像を撮像する撮像モードならびにダイヤル発信および電子メールの送信を行う送発信モードなどの種々のモードを設定するための機能キーなどを含む。キー操作部８は、２つの筐体を折り畳んだときの内側に位置するように、第２筐体３に配置される。
【００３７】
本体ねじ部９は、後述する取付具１０２を螺着するために、２つの筐体を折り畳んだときの外側に位置するように、第２筐体３の長手方向一端部かつ幅方向中央部に形成される。本体ねじ部９は、たとえば雌ねじによって実現される。本体ねじ部９は、第２筐体３の厚み方向他方に陥没し、内ねじが形成される。電池蓋部１０は、２つの筐体を折り畳んだときの外側に位置するように、第２筐体３に配置される。
【００３８】
携帯電話機本体１０１は、たとえば撮像モードおよび送発信モードの２種類のモードで動作し、通常、送発信モードに設定されている。送発信モードに設定されているときに、たとえばユーザが、予めキー操作部８に設けられる撮像キーを押下することによって、送発信モードから撮像モードへ切替えるようにしている。また撮像モードに設定されているときに、たとえばユーザが、予めキー操作部８に設けられる撮像終了キーを押下することによって、撮像モードから送発信モードへ切替えるようにしている。
【００３９】
図４は、取付具１０２を示す斜視図である。図５は、取付具１０２を示す平面図である。図６は、取付具１０２を示す正面図である。図７は、取付具１０２を示す左側面図である。図８は、図５の切断面線Ａ−Ａから見た断面図である。
【００４０】
取付具１０２は、基台である三脚１０３に携帯電話機本体１０１を連結させるときに用いる。取付具１０２は、基部１１、突出部１２、第１ねじ部１３および第２ねじ部１４を含んで構成される。基部１１は、平面形状が正六角形である。突出部１２は、平面形状が正六角形であって、基部１１に連なり、基部１１の厚み方向一方から突出して形成される。基部１１の厚み寸法は、突出部１２の厚み寸法よりも大きい。また、基部１１の厚み方向に垂直な仮想平面に投影した面積は、突出部１２の厚み方向に垂直な仮想平面に投影した面積よりも大きい。
【００４１】
第１ねじ部１３は、突出部１２に連なり、突出部１２の厚み方向一方から突出して形成される。第１ねじ部１３は、たとえば雄ねじかつＭ３と呼称されるねじによって実現される。第１ねじ部１３は、雄ねじかつＭ３ねじに限らず、たとえば雄ねじかつＭ２ねじによって実現されてもよい。第２ねじ部１４は、基部１１の厚み方向一方に陥没して形成される。第２ねじ部１４は、三脚１０３などの基台が有するねじ部材を螺着させるために、たとえば雌ねじかつＭ６ねじと呼称されるねじによって実現されるが、これに限らず、三脚１０３などの基台のねじ部材の形状および寸法に合致するねじによって実現されればよい。
【００４２】
取付具１０２は、たとえばアクリロニトリルブタジエンスチレン（略称：ＡＢＳ）およびポリスチレン（略称：ＰＳ）などの樹脂によって成型される。樹脂によって成型される取付具１０２は、比較的軽量であるため、携帯電話機本体１０１のユーザは、取付具１０２を鞄およびポケットなどに入れて容易に持運ぶことができ、利便性が向上する。
【００４３】
取付具１０２は、たとえば鉄および真鍮などの金属によって鍛造されてもよい。金属によって鍛造される取付具１０２を携帯電話機本体１０１に設けることによって、取付具１０２に基台である三脚１０３を取付けたときに、三脚１０３に対する携帯電話機本体１０１の取付け強度を向上することができる。したがって、取付具１０２を介して三脚１０３に取付けられる携帯電話機本体１０１が撓むことを防止することができる。
【００４４】
図９は、携帯電話機本体１０１の第２筐体３の内側（正面側）を示す図である。図１０は、携帯電話機本体１０１の第２筐体３の外側（背面側）を示す図である。図１１は、図９の切断面線Ｂ−Ｂから見た断面図である。図１２は、取付具１０２を介して三脚１０３に携帯電話機本体１０１を連結したときの拡大断面図である。
【００４５】
取付具１０２が設けられる携帯電話機本体１０１の本体ねじ部９は、図１０および図１１に示すように、携帯電話機本体１０１を折り畳んだときの第２筐体３の外側に位置するように形成される。詳細に述べると、本体ねじ部９は、ヒンジ部４の近傍であって、第２筐体３の長手方向一端部かつ幅方向中央部に形成される。
【００４６】
第２筐体３に形成される本体ねじ部９に、図４〜図８に示す取付具１０２の第１ねじ部１３を螺着する。さらに、取付具１０２の第２ねじ部１４に、所定位置に設置される基台、たとえば三脚１０３のねじ部材１０４を螺着する。これによって、三脚１０３に携帯電話機本体１０１が着脱可能に連結される。
【００４７】
前述のように、本体ねじ部９は、ヒンジ部４の近傍であって、第２筐体３の長手方向一端部かつ幅方向中央部に形成される。前述の位置に形成される本体ねじ部９に取付具１０２を螺着し、携帯電話機本体１０１を開いた状態で三脚１０３に連結することによって、ヒンジ部４から遠ざかる位置、たとえば第２筐体３の長手方向他端部に本体ねじ部９を形成して取付具１０２を螺着し、携帯電話機本体１０１を三脚１０３に連結するときよりも、携帯電話機本体１０１に過大なトルクが作用することを防止することができる。
【００４８】
これによって、携帯電話機本体１０１のぶれを生じにくくして、携帯電話機本体１０１をより安定して三脚１０３に連結することができるとともに、本体ねじ部９のねじ山を破損しにくくすることができる。
【００４９】
携帯電話機本体１０１の第２筐体３における本体ねじ部９に、取付具１０２の第１ねじ部１３を螺着したとき、図１２に示すように、取付具１０２の突出部１２の厚み方向一方の面と第２筐体３の面とが接触する。取付具１０２は、基部１１に連なり、基部１１の厚み方向一方から突出する突出部１２を備えており、この突出部１２は、突出部１２の厚み方向に垂直な仮想平面に投影した面積が、基部１１の厚み方向に垂直な仮想平面に投影した面積よりも小さくなるように形成されている。
【００５０】
したがって、第２筐体３の本体ねじ部９に前記突出部１２を備える取付具１０２を螺着した場合は、第２筐体３の本体ねじ部９に突出部１２を備えない取付具１０２を螺着した場合に比べて、第２筐体３と接触する取付具１０２の面積が小さい。前述のように、携帯電話機本体１０１の第２筐体３との接触面積を小さくすることによって、本体ねじ部９に取付具１０２を螺着するときに、携帯電話機本体１０１に傷がつくことを抑制することができる。
【００５１】
図１３は、取付具１０２を介して携帯電話機本体１０１を開いた状態で三脚１０３に連結し、携帯電話機本体１０１の第１表示部５側から見た図である。図１４は、取付具１０２を介して携帯電話機本体１０１を開いた状態で三脚１０３に連結し、携帯電話機本体１０１の第２表示部６側から見た図である。図１５は、取付具１０２を介して携帯電話機本体１０１を開いた状態で三脚１０３に連結し、携帯電話機本体１０１の底面から見た図である。ここで、携帯電話機本体１０１の底面とは、携帯電話機本体１０１の第２筐体３の長手方向他端部でかつ長手方向他方に臨む面である。
【００５２】
本実施形態では、図１３〜図１５に示すように、携帯電話機本体１０１を開いた状態で、携帯電話機本体１０１の幅方向が鉛直方向に対して平行となるように三脚１０３に連結されて固定されている。三脚１０３には、連結された携帯電話機本体１０１の向きを変位させるためのハンドル１０５が備えられている。
【００５３】
ユーザは、ハンドル１０５を操作することによって、被写体に応じて、携帯電話機本体１０１の向きを変位させることができる。たとえば、携帯電話機本体１０１を開いた状態で、携帯電話機本体１０１が横長となる状態、つまり携帯電話機本体１０１の幅方向が鉛直方向に対して平行となる状態から、携帯電話機本体１０１を開いた状態で、携帯電話機本体１０１が縦長となる状態、つまり携帯電話機本体１０１の長手方向が鉛直方向に対して平行となる状態に変位させることができる。
【００５４】
前述のように本実施形態によれば、取付具１０２の第２ねじ部１４に、所定位置に設置される基台、たとえば三脚１０３のねじ部材１０４を螺着することによって、三脚１０３に携帯電話機本体１０１を連結する。したがって、取付具１０２の第２ねじ部１４の外径を、前記三脚１０３のねじ部材１０４が螺着可能な外径になるように形成しておくだけで、取付具１０２を介して、容易に三脚１０３に携帯電話機本体１０１を着脱可能に連結させることができる。
【００５５】
また、取付具１０２を介して、三脚１０３に携帯電話機本体１０１を連結させることによって、携帯電話機本体１０１の第２筐体３に形成する本体ねじ部９の外径は、前記三脚１０３のねじ部材１０４が螺着可能な外径よりも比較的小さくすることができる。これによって、携帯電話機本体１０１の形状の大型化を抑制することができる。
【００５６】
図１６は、本発明の実施の他の形態である携帯電話機２００の第２筐体３を示す斜視図である。図１７は、取付補助具２０２の第１および第２突出部２２，２３側の外観を示す斜視図である。図１８は、取付補助具２０２の第１および第２嵌合部２５，２６側の外観を示す斜視図である。図１９は、取付補助具２０２の左側面図である。図２０は、取付補助具２０２の第１および第２嵌合部２５，２６を示す正面図である。
【００５７】
携帯電話機２００は、携帯電話機本体２０１および取付補助具２０２を含んで構成される。携帯電話機本体２０１は、携帯電話機本体１０１と同一の構成であり、かつ同一の機能を有するので、対応する部分に同一の参照符を付して、説明を省略する。
【００５８】
取付補助具２０２は、基台である三脚１０３に携帯電話機本体２０１を連結させるときに用いる。取付補助具２０２は、基部２１、第１突出部２２、第２突出部２３、ねじ部２４、第１嵌合部２５、第２嵌合部２６および爪部２７を含んで構成される。
【００５９】
基部２１は、大略的に平板状である。基部２１の長手方向中央部かつ幅方向一端部には、基部２１から厚み方向一方に突出する第１突出部２２が形成される。基部２１の長手方向中央部かつ幅方向他端部には、基部２１から厚み方向一方に突出する第２突出部２３が形成される。第１および第２突出部２２，２３は、大略的に円板状であって、厚み方向に貫通するねじ部２４を有する。ねじ部２４は、三脚１０３のねじ部材１０４を螺着するために、たとえば雌ねじでかつＭ６と呼称されるねじによって実現される。
【００６０】
基部２１の長手方向一端部である基部一端部２１ａは、基部２１に連なり、長手方向一方に向かうにつれて、基部２１の厚み方向他方に近づくように傾斜して形成される。基部２１の長手方向他端部である基部他端部２１ｂは、基部２１に連なり、長手方向他方に向かうにつれて、基部２１の厚み方向他方に近づくように傾斜して形成される。基部一端部２１ａかつ基部２１の幅方向中央部には、基部２１から厚み方向他方に突出する第１嵌合部２５が形成される。基部他端部２１ｂかつ基部２１の幅方向中央部には、基部２１から厚み方向他方に突出する第２嵌合部２６が形成される。
【００６１】
第１嵌合部２５の遊端部には、図１９に示すように、第２嵌合部２６に臨むようにして突出する爪部２７が形成される。第２嵌合部２６の遊端部には、図１９に示すように、第１嵌合部２５に臨むようにして突出する爪部２７が形成される。
【００６２】
取付補助具２０２は、たとえばアクリロニトリルブタジエンスチレン（略称：ＡＢＳ）およびポリスチレン（略称：ＰＳ）などの樹脂によって成型される。樹脂によって成型される取付補助具２０２は、比較的軽量であるため、携帯電話機本体２０１のユーザは、取付補助具２０２を鞄およびポケットなどに入れて容易に持運ぶことができ、利便性が向上する。
【００６３】
取付補助具２０２は、たとえば鉄および真鍮などの金属によって鍛造されてもよい。金属によって鍛造される取付補助具２０２を携帯電話機本体２０１に設けることによって、取付補助具２０２に基台である三脚１０３を取付けたときに、三脚１０３に対する携帯電話機本体２０１の取付け強度を向上することができる。したがって、取付補助具２０２を介して三脚１０３に取付けられる携帯電話機本体２０１が撓むことを防止することができる。
【００６４】
図２１は、携帯電話機本体２０１の第２筐体３の溝部３０を示す斜視図である。携帯電話機本体２０１の第２筐体３において、電池蓋１０が設けられる表面部の携帯電話機本体２０１の幅方向両端に連なる側面部であって、長手方向中央部かつ第２筐体３の厚み方向中央部には、幅方向一方または他方に陥没する溝部３０がそれぞれ形成される。この溝部３０に、取付補助具２０２の第１および第２嵌合部２５，２６の爪部２７を嵌合することによって、携帯電話機本体２０１に取付補助具２０２を設ける。さらに、取付補助具２０２の第１および第２突出部２２，２３のねじ部２４のうち、いずれか一方のねじ部２４を選択し、選択したねじ部２４に、所定位置に設置される基台、たとえば三脚１０３のねじ部材１０４を螺着する。これによって、三脚１０３に携帯電話機本体２０１が着脱可能に連結される。
【００６５】
前述のように、携帯電話機本体２０１に取付補助具２０２を設け、取付補助具２０２の第１および第２突出部２２，２３のねじ部２４のうちいずれか一方のねじ部に、三脚１０３のねじ部材１０４を螺着することによって、三脚１０３に携帯電話機本体２０１を連結させることができる。したがって、三脚１０３に携帯電話機本体２０１を連結させるために、携帯電話機本体２０１にねじ部などを形成する必要がないので、携帯電話機本体２０１内部の構成部品の配置変更などの影響を受けなくて済む。
【００６６】
また、溝部３０を、たとえばキー操作部８または電池蓋１０が設けられる表面部の携帯電話機本体２０１の幅方向両端に連なる側面部に設けた場合、目立たないようにして美観を向上することができる。
【００６７】
また、前述の実施形態において、携帯電話機本体２０１には、ねじ部２４を有する第１および第２突出部２２，２３が設けられる。この第１および第２突出部２２，２３のねじ部２４に、所定位置に設置される三脚１０３のねじ部材１０４を螺着して、三脚１０３に、たとえば携帯電話機本体２０１を開いた状態および折り畳んだ状態で連結するときに、前記携帯電話機本体２０１の連結状態に応じて、第１および第２突出部２２，２３のねじ部２４の中から、三脚１０３に携帯電話機本体２０１を安定して連結することができる最適な位置のねじ部２４を１つ選択することができる。具体的には、携帯電話機本体２０１を開いた状態で三脚１０３に連結するときは、携帯電話機本体２０１のヒンジ部４に近い位置の第２突出部２３のねじ部２４を選択し、携帯電話機本体２０１を折り畳んだ状態で三脚１０３に連結するときは、携帯電話機本体２０１のヒンジ部４から遠い位置の第１突出部２２のねじ部２４を選択する。これによって、選択したねじ部２４に三脚１０３のねじ部材１０４を螺着することによって、前記状態の携帯電話機本体２０１を三脚１０３に安定して連結することができる。
【００６８】
また、前述の実施形態では、溝部３０を、前記側面部に１つずつ形成した場合について述べたが、これに限らず、１つの側面部に複数の溝部３０を形成してもよい。これによって、溝部３０に取付補助具２０２の第１および第２嵌合部２５，２６の爪部２７を嵌合して、携帯電話機本体２０１に取付補助具２０２を設けるときに、複数形成された溝部３０の中から、携帯電話機本体２０１に取付補助具２０２を安定して設けることができる最適な位置の溝部３０を選択することができる。したがって、選択した溝部３０に取付補助具２０２の第１および第２嵌合部２５，２６の爪部２７を嵌合することによって、携帯電話機本体２０１に安定して取付補助具２０２を設けることができる。
【００６９】
図２２は、携帯電話機本体２０１の長溝部３１を示す斜視図である。図２３は、携帯電話機本体２０１の長溝部３１をヒンジ部４側から見た斜視図である。図２４は、図２２の切断面線Ｃ−Ｃから見た断面図である。
【００７０】
長溝部３１は、図２２〜図２４に示すように、携帯電話機本体２０１の第２筐体３において、電池蓋１０が設けられる表面部の携帯電話機本体２０１の幅方向両端に連なる側面部でかつ第２筐体３の厚み方向中央部に、第２筐体３の幅方向一方または他方に陥没して形成される。さらに詳細に述べると、長溝部３１は、前記側面部の第２筐体３の長手方向略中央部から長手方向一端部に延びて形成される。ここで、長手方向略中央部は、長手方向中央部を含む。前記長溝部３１の長手方向一端部から、取付補助具２０２の第１および第２嵌合部２５，２６の爪部２７を嵌入することによって、携帯電話機本体２０１に取付補助具２０２を嵌着することができる。
【００７１】
前述のように、取付補助具２０２の第１および第２嵌合部２５，２６を長溝部３１の長手方向一端部から嵌入するだけで、取付補助具２０２を携帯電話機本体２０１に嵌着することができるので、前記側面部に形成された長溝部３１よりも長さ寸法が小さい溝部３０に、取付補助具２０２の第１および第２嵌合部２５，２６を嵌合する場合に比べて、携帯電話機本体２０１への取付補助具２０２の取付操作がさらに容易になり、利便性が向上する。
【００７２】
また、長溝部３１に、取付補助具２０２の第１および第２嵌合部２５，２６を嵌入するだけで、容易に取付補助具２０２を携帯電話機本体２０１に嵌着することができるので、取付補助具２０２を携帯電話機本体２０１に嵌着するときに、誤って携帯電話機本体２０１に傷をつけてしまうことを抑制することができる。
【００７３】
また、長溝部３１に、取付補助具２０２の第１および第２嵌合部２５，２６を嵌入するだけで、容易に取付補助具２０２を携帯電話機本体２０１に嵌着することができるので、取付補助具２０２の第１および第２突出部２２，２３のねじ部２４に所定のねじ部材、たとえば所定位置に設置される基台である三脚１０３のねじ部材１０４を螺着して、三脚１０３に、たとえば携帯電話機本体２０１を開いた状態および折り畳んだ状態で連結するときに、前記携帯電話機本体２０１の連結状態に応じて、携帯電話機本体２０１を安定して三脚１０３に連結することができる最適な位置になるように、容易に取付補助具２０２の位置を調節することができる。
【００７４】
【発明の効果】
以上のように本発明によれば、取付具のねじ部の外径を、前記所定のねじ部材が螺着可能な外径になるように形成しておくだけで、取付具を介して、容易に基台である三脚に携帯通信装置本体を着脱可能に連結させることができる。また、携帯通信装置本体の取付具と連結する部分、たとえばねじ部などの外径は、前記所定のねじ部材が取付具に螺着可能な外径よりも比較的小さくすることができる。これによって、携帯通信装置本体の形状の大型化を抑制することができる。
【００７５】
また本発明によれば、基台である三脚に携帯通信装置本体を連結させるために、携帯通信装置本体にねじ部などを形成する必要がないので、携帯通信装置本体内部の構成部品の配置変更などの影響を受けなくて済む。また、溝部を、たとえばキー操作部が配置される表面部の携帯通信装置本体の幅方向両端に連なる側面部に設けた場合、目立たないようにして美観を向上することができる。
【００７６】
また本発明によれば、突出部のねじ部に所定のねじ部材を螺着して、所定位置に設置される基台、たとえば三脚に折り畳み型携帯電話機などの携帯通信装置本体を開いた状態および折り畳んだ状態で連結するときに、前記携帯通信装置本体の連結状態に応じて、２つ以上の突出部のねじ部の中から、基台である三脚に携帯通信装置本体を安定して連結することができる最適な位置のねじ部を選択することができる。これによって、選択したねじ部に所定のねじ部材を螺着することによって、前記状態の携帯通信装置本体を三脚に安定して連結することができる。
【００７７】
また本発明によれば、溝部に取付補助具の嵌合部を嵌合して、携帯通信装置本体に取付補助具を設けるときに、２つ以上の溝部の中から、携帯通信装置本体に取付補助具を安定して設けることができる最適な位置の溝部を選択することができる。これによって、選択した溝部に取付補助具の嵌合部を嵌合することによって、携帯通信装置本体に安定して取付補助具を設けることができる。
【００７８】
また本発明によれば、取付補助具の嵌合部を、携帯通信装置本体の予め定める表面部に形成される溝部の一端部から嵌入することによって、前記溝部よりも長さ寸法が小さい溝部に取付補助具の嵌合部を嵌合する場合に比べて、携帯通信装置本体への取付補助具の取付操作がさらに容易になり、利便性が向上する。また、取付補助具を携帯通信装置本体に嵌着するときに、誤って携帯通信装置本体に傷をつけてしまうことを抑制することができる。また、取付補助具の突出部のねじ部に所定のねじ部材、たとえば所定位置に設置される基台である三脚のねじ部材を螺着して、三脚にたとえば折り畳み型携帯電話機などの携帯通信装置本体を開いた状態および折り畳んだ状態で連結するときに、前記携帯通信装置本体の連結状態に応じて、携帯通信装置本体を安定して三脚に連結することができる最適な位置になるように、容易に取付補助具の位置を調節することができる。
【００７９】
また本発明によれば、樹脂によって成型される取付具および取付補助具は、比較的軽量であるため、携帯通信装置のユーザは、取付具および取付補助具を鞄およびポケットなどに入れて容易に持運ぶことができ、利便性が向上する。また、取付具および取付補助具を樹脂で成型することによって、コストを低減することができる。
【００８０】
また本発明によれば、金属によって鍛造される取付具および取付補助具を携帯通信装置本体に設けることによって、取付具および取付補助具に基台である三脚を取付けたときに、三脚に対する携帯通信装置本体の取付け強度を向上することができる。したがって、取付具および取付補助具を介して三脚に取付けられる携帯通信装置本体が撓むことを防止することができる。
【図面の簡単な説明】
【図１】本発明の実施の一形態である携帯電話機１００の外観を示す斜視図である。
【図２】携帯電話機本体１０１を開いた状態で、内側（正面側）の外観を示す斜視図である。
【図３】携帯電話機本体１０１を開いた状態で、外側（背面側）の外観を示す斜視図である。
【図４】取付具１０２を示す斜視図である。
【図５】取付具１０２を示す平面図である。
【図６】取付具１０２を示す正面図である。
【図７】取付具１０２を示す左側面図である。
【図８】図５の切断面線Ａ−Ａから見た断面図である。
【図９】携帯電話機本体１０１の第２筐体３の内側（正面側）を示す図である。
【図１０】携帯電話機本体１０１の第２筐体３の外側（背面側）を示す図である。
【図１１】図９の切断面線Ｂ−Ｂから見た断面図である。
【図１２】取付具１０２を介して三脚１０３に携帯電話機本体１０１を連結したときの拡大断面図である。
【図１３】取付具１０２を介して携帯電話機本体１０１を開いた状態で三脚１０３に連結し、携帯電話機本体１０１の第１表示部５側から見た図である。
【図１４】取付具１０２を介して携帯電話機本体１０１を開いた状態で三脚１０３に連結し、携帯電話機本体１０１の第２表示部６側から見た図である。
【図１５】取付具１０２を介して携帯電話機本体１０１を開いた状態で三脚１０３に連結し、携帯電話機本体１０１の底面から見た図である。
【図１６】本発明の実施の他の形態である携帯電話機２００の第２筐体３を示す斜視図である。
【図１７】取付補助具２０２の第１および第２突出部２２，２３側の外観を示す斜視図である。
【図１８】取付補助具２０２の第１および第２嵌合部２５，２６側の外観を示す斜視図である。
【図１９】取付補助具２０２の左側面図である。
【図２０】取付補助具２０２の第１および第２嵌合部２５，２６を示す正面図である。
【図２１】携帯電話機本体２０１の第２筐体３の溝部３０を示す斜視図である。
【図２２】携帯電話機本体２０１の長溝部３１を示す斜視図である。
【図２３】携帯電話機本体２０１の長溝部３１をヒンジ部４側から見た斜視図である。
【図２４】図２２の切断面線Ｃ−Ｃから見た断面図である。
【符号の説明】
１  アンテナ
２  第１筐体
３  第２筐体
４  ヒンジ部
５  第１表示部
６  第２表示部
７  撮像部
８  キー操作部
９  本体ねじ部
１０  電池蓋部
１１  基部
１２  突出部
１３  第１ねじ部
１４  第２ねじ部
２１  基部
２１ａ  基部一端部
２１ｂ  基部他端部
２２  第１突出部
２３  第２突出部
２４  ねじ部
２５  第１嵌合部
２６  第２嵌合部
２７  爪部
３０  溝部
３１  長溝部
１００，２００  携帯電話機
１０１，２０１  携帯電話機本体
１０２  取付具
２０２  取付補助具
１０３  三脚
１０４  ねじ部材
１０５  ハンドル
【図１】
2005003880.tif 000003
【図２】
2005003880.tif 000004
【図３】
2005003880.tif 000005
【図４】
2005003880.tif 000006
【図５】
2005003880.tif 000007
【図６】
2005003880.tif 000008
【図７】
2005003880.tif 000009
【図８】
2005003880.tif 000010
【図９】
2005003880.tif 000011
【図１０】
2005003880.tif 000012
【図１１】
2005003880.tif 000013
【図１２】
2005003880.tif 000014
【図１３】
2005003880.tif 000015
【図１４】
2005003880.tif 000016
【図１５】
2005003880.tif 000017
【図１６】
2005003880.tif 000018
【図１７】
2005003880.tif 000019
【図１８】
2005003880.tif 000020
【図１９】
2005003880.tif 000021
【図２０】
2005003880.tif 000022
【図２１】
2005003880.tif 000023
【図２２】
2005003880.tif 000024
【図２３】
2005003880.tif 000025
【図２４】
2005003880.tif 000026